(57)【特許請求の範囲】
【請求項１】
使用者が入る収容空間を有するブース本体と、前記収容空間内の使用者の腰部が着座する着座部と、前記ブース本体の収容空間を開閉する開閉扉とを有するブースと、
前記ブースに設けられ前記収容空間に温泡を吐出する温泡吐出部と、
前記ブースに設けられ前記温泡吐出部に温泡を供給する温泡供給部とを具備しており、
前記温泡吐出部は、前記収容空間に入った且つ前記着座部に着座する使用者の肩部付近に向けて温泡を吐出し、
前記開閉扉は、前記開閉扉の閉鎖時において、前記着座部に着座する使用者に近づくように曲成されており、前記着座部に着座する使用者との間を狭めるように前記収容空間の容積を小さくする膨出部を有することを特徴とする温泡入浴ブース装置。
【請求項２】
使用者が入る収容空間を有するブース本体と、前記収容空間内の使用者の腰部が着座する着座部と、前記ブース本体の収容空間を開閉する開閉扉とを有するブースと、
前記ブースに設けられ前記収容空間に温泡を吐出する温泡吐出部と、
前記ブースに設けられ前記温泡吐出部に温泡を供給する温泡供給部と、
前記ブースに設けられ前記ブースの前記収容空間内の泡を除去するために、霧状のミストシャワーを噴出するミストシャワー噴出部または放射状シャワーを噴出する放射状噴出シャワー部とを具備しており、
前記開閉扉は、前記開閉扉の閉鎖時において、前記着座部に着座する使用者に近づくように曲成されており、前記着座部に着座する使用者との間を狭めるように前記収容空間の容積を小さくする膨出部を有することを特徴とする温泡入浴ブース装置。
【請求項３】
請求項１または請求項２において、前記膨出部は、前記収容空間内に吐出された温泡の放熱を少なくする断熱性を有することを特徴とする温泡入浴ブース装置。
【請求項４】
請求項１〜請求項３のうちのいずれか一項において、前記膨出部は、前記収容空間内の前記着座部に着座する使用者の腹の高さ位置と脚の高さ位置とに設けられていることを特徴とする温泡入浴ブース装置。
【請求項５】
請求項１〜請求項４のうちのいずれか一項において、前記温泡吐出部は、前記ブースのうち前記着座部に着座する使用者に対面する壁面に沿って温泡が流下するように、温泡を吐出することを特徴とする温泡入浴ブース装置。
【請求項６】
請求項１〜請求項５のうちのいずれか一項において、泡生成用の操作盤が温泡で埋まらないように前記操作盤は前記開閉扉の上端部よりも上方に位置していることを特徴とする温泡入浴ブース装置。
【発明の詳細な説明】
【技術分野】
【０００１】
本発明は温泡入浴を行う温泡入浴ブース装置に関する。
【背景技術】
【０００２】
近年、温泡入浴装置が開発されている。泡式入浴装置は、浴槽内に温泡を充満させて行う入浴であり、従来から行われている液状の温水を用いる一般的な温水入浴に比べ、節水が可能で、心臓等への負担が軽減される等という利点に加え、暖かい多量の温泡を使用することにより温水入浴と略同等の温浴効果を得られるという利点を有する。また、何よりも、日本人が好む「つかる」入浴が達成でき、リラクゼーションの効果が大きいという利点を有する。このような利点から、特許文献１に示されるように、身体障害者や寝たきり老人等に対する移動介護において、好適であるとして特に期待されている。当該公報には、空気で膨らむバスタブに使用者が入り、そのバスタブ内に温泡発生装置から温泡を供給し、泡式入浴を行うことが示されている。
【特許文献１】特開２０００−８３８５１号公報
【発明の開示】
【発明が解決しようとする課題】
【０００３】
上記した公報記載の泡式入浴装置によれば、前述したように、節水が可能で、心臓等への負担が軽減される等という利点に加え、暖かい温泡を使用することにより温水入浴と略同等の入浴効果を得られるという利点を有するものの、温泡入浴の満足感を更に高めるためには改善の余地がある。
【０００４】
例えば、液状の温水を用いる従来の温水入浴よりも入熱速度が緩やかであるため、熱い入浴を好む使用者等によっては加温速度が緩やかであることを感じるおそれがある。更に、温水入浴後に、使用者の身体に付着した泡を除去する操作に長時間を要すると、身体が冷え、充分な温水入浴効果が得られなくなるおそれがある。
【０００５】
本発明は上記した実情に鑑みてなされたものであり、温泡入浴効果を更に高め、温泡入浴の満足感を得るのに有利な温泡入浴ブース装置を提供することを共通の課題とする。
【課題を解決するための手段】
【０００６】
様相１の本発明に係る温泡入浴ブース装置は、使用者が入る収容空間を有するブース本体と、収容空間内の使用者の腰部が着座する着座部と、ブース本体の収容空間を開閉する開閉扉とを有するブースと、
ブースに設けられ前記収容空間に温泡を吐出する温泡吐出部と、
ブースに設けられ温泡吐出部に温泡を供給する前記温泡供給部とを具備しており、
温泡吐出部は、収容空間に入った且つ着座部に着座する使用者の肩部付近に向けて温泡を吐出し、
開閉扉は、開閉扉の閉鎖時において、着座部に着座する使用者に近づくように曲成されており、着座部に着座する使用者との間を狭めるように収容空間の容積を小さくする膨出部を有することを特徴とするものである。
【０００７】
ブースの収容空間内の使用者の肩部付近に向けて、温泡吐出部は、暖かい温泡を吐出するため、使用者は加温性を効果的に感じることができる。更に、使用者の肩部付近に吐出された暖かい温泡は、使用者の肩部付近から身体の表面に沿って流下するため、使用者の身体は効果的に暖められる。これにより使用者のリラックス効果、温泡入浴効果を高めることができる。
【０００８】
様相２の本発明に係る温泡入浴ブース装置は、使用者が入る収容空間を有するブース本体と、収容空間内の使用者の腰部が着座する着座部と、ブース本体の収容空間を開閉する開閉扉とを有するブースと、
ブースに設けられ収容空間に温泡を吐出する温泡吐出部と、
ブースに設けられ温泡吐出部に温泡を供給する温泡供給部と、
ブースに設けられブースの収容空間内の泡を除去するために、霧状のミストシャワーを噴出するミストシャワー噴出部または放射状シャワーを噴出する放射状噴出シャワー部とを具備しており、
開閉扉は、開閉扉の閉鎖時において、着座部に着座する使用者に近づくように曲成されており、着座部に着座する使用者との間を狭めるように収容空間の容積を小さくする膨出部を有することを特徴とするものである。
【０００９】
温水入浴後に、使用者の身体に付着した泡を除去する操作に長時間を要すると、身体が冷え、充分に満足できる温水入浴効果が得られなくなるおそれがある。この点、ミストシャワー噴出部または放射状噴出シャワー部が設けられているため、ブースの収容空間内の泡を除去するのに有利となり、使用者の身体に付着した泡、更には、収容空間内に残留している泡を短時間のうちに除去することができる。放射状噴出シャワー部は、放射状噴出シャワーを生成するものであり、多数の細いシャワー水流の衝突が消泡に効果的であり、更に、放射状噴出シャワーは広面積に飛散しやすいため、多量の泡を短時間のうちに除去させやすい。
【００１０】
殊に、ミストシャワー噴出部は、細かい霧状のミストシャワーを噴出するため、ブースの収容空間内の泡を除去するのに有利となり、使用者の身体に付着した泡、更には、収容空間内に残留している泡を短時間のうちに効果的に除去することができる。霧状のミストシャワーは微小粒状の液相と気相とが高頻度で混在しており、泡への微小状の液相の衝突が消泡に効果的であり、更に、霧状のミストシャワーは広面積に飛散しやすいため、多量の泡を除去させやすいためと推察される。
【発明の効果】
【００１１】
様相１に係る本発明に係る温泡入浴ブース装置によれば、ブースの収容空間内の着座部に着座する使用者の肩部付近に向けて、温泡吐出部は暖かい温泡を吐出するため、使用者は加温性を効果的に感じることができ、更に、使用者の肩部付近に吐出された暖かい温泡は、使用者の肩部付近から身体の表面に沿って流下するため、使用者の身体は効果的に暖められ、使用者のリラックス効果、温泡入浴効果を高め、温泡入浴の満足感を得るのに有利となる。
【００１２】
様相２の本発明に係る温泡入浴ブース装置によれば、ミストシャワー噴出部は霧状のミストシャワーを噴出させるため、使用者の身体に付着した泡、ブースの収容空間内に残留している泡を短時間に除去するのに有利となる。霧状のミストシャワーは微小粒状の液相と気相とが高頻度で混在しており、泡への微小状の液相の衝突が消泡に効果的であり、更に、霧状のミストシャワーは広面積に飛散しやすいため、多量の泡を除去させやすいためと推察される。また放射状噴出シャワー部は、放射状噴出シャワーを生成するため、多数の細いシャワー水流の衝突が消泡に効果的であり、更に、放射状噴出シャワーは広面積に飛散しやすいため、多量の泡を除去させやすい。このように様相２によれば、使用者の身体に付着した泡、ブースの収容空間内に残留している泡を短時間に除去できるため、消泡操作中における身体の冷えを抑えることができ、温泡入浴効果を更に高め、温泡入浴の満足感を得るのに有利となる。
【００１３】
様相１，２の本発明に係る温泡入浴ブース装置によれば、開閉扉の閉鎖時において、開閉扉は、着座部に着座する使用者に近づくように曲成されており、着座部に着座する使用者との間を狭めるように収容空間の容積を小さくする膨出部を有する。この場合、膨出部により、使用者が着座する収容空間から放熱される温泡の放熱量を少なくでき、入浴効果を高めるのに有利である。更に、開閉扉に設けた膨出部により収容空間の容積が小さくなり、温泡の使用量を抑制することができる。
【発明を実施するための最良の形態】
【００１４】
ブースは、使用者が入る収容空間を有する浴槽であればよい。ブースは、使用者の胴体の他に頭部まで覆う構造でもよいし、頭部を覆わない構造でも良い。ブースは、収容空間をもつブース本体と、ブース本体の収容空間を開閉する開閉扉とを有する形態を採用できる。ブースは、使用者の腰部を着座させる着座部を有しており、温泡吐出部は、着座部に着座している使用者の肩部付近に温泡を供給することができる。着座部に着座している使用者の肩部付近に向けて、温泡吐出部は暖かい温泡を吐出するため、使用者のリラックス効果、入浴効果を一層高めることができる。肩部付近に温泡を供給するとは、例えば、使用者の身体のサイズによっても相違するため、肩部を目標として肩部自体に温泡を供給する形態、使用者の身体のサイズによっては肩部の輪郭から２０ｃｍ以内、１５ｃｍ以内または１０ｃｍ以内に温泡を供給する形態を含む。肩部付近に温泡を供給するにあたり、肩部の上方から供給しても良いし、肩部の側方から供給しても良い。着座部の着座面に流水用の流下通路が形成されていることが好ましい。流下通路は、着座面の中央域に形成されていても良いし、使用者の身体の側面側に位置するように着座面の幅方向の外縁側に形成されていても良い。流下経路は、溝に限らず、流水できるようになだらかな傾斜面で形成しても良い。
【００１５】
ブースは、出入口をもつブース本体と、ブース本体の出入口を開閉する開閉扉とを有しており、開閉扉は、使用者が入る収容空間の容積を小さくすると共に使用者との間を狭めるように収容空間の容積を小さくする膨出部を有する。この場合、収容空間の容積を小さくすることができるため、収容空間に供給される温泡の放熱を少なくでき、入浴効果を更に高めるのに有利となる。更に使用する温泡の量も少なくするのに有利となる。
【００１６】
温泡吐出部はブースに設けられており、ブースの収容空間に入った使用者の肩部付近に向けて温泡を吐出するものである。温泡吐出部は、収容空間に対面するようにブースに固定的に設けられていてもよいし、あるいは、曲成可能なフレキシブル構造とされていてもよい。好ましくは、温泡吐出部は、ブースのうち使用者に対面する壁面に沿って温泡が流下するように、暖かい温泡を吐出する形態を採用することができる。この場合、ブースのうち使用者に対面する壁面を温泡の流下で暖めることができるため、温泡入浴の開始時に、使用者の背中がブースに触れたとしても、使用者が冷たさを感じることを抑えることができ、入浴効果を高めるのに有利となる。
【００１７】
温泡供給部はブースに設けられており、温泡を温泡吐出部に供給するものである。温泡供給部は温泡を生成する機能を有することが好ましい。従って、温泡供給部は、泡剤が収容される容器と、容器内に圧縮空気等の気体を供給する気体供給源とを有することが好ましい。温泡供給部は、温泡を生成する温水を生成する給湯器を有しているか、給湯器に接続されていても良い。気体供給源としてはコンプレッサ、ファン等を例示できる。
【００１８】
様相２の本発明に係る温泡入浴ブース装置によれば、温泡吐出部は使用者の肩部付近に向けて温泡を吐出するものであることが好ましいが、身体のうち肩部以外の部位に温泡を吐出するものでもよい。ミストシャワー噴出部または放射状噴出シャワー部はブースに設けられており、ブースの収容空間内の泡を除去するために、霧状のミストャワーまたは放射状噴出シャワーを噴出するものである。ミストシャワー噴出部は、水と空気とが霧状に混合したミストを噴出できるものであればよい。
【実施例１】
【００１９】
以下、本発明の実施例１を図面を参照して具体的に説明する。図１は温泡入浴ブース装置の参考概念の断面を模式的に示す。図２は開閉扉を省略した状態の温泡入浴ブース装置の概念の正面を模式的に示す。図３は温泡入浴ブース装置の外観を模式的に示す。図４は開閉扉を外した状態の温泡入浴ブース装置の外観を模式的に示す。図５は温泡入浴ブース装置の裏面を模式的に示す。図９は図１に対応するものであり、本実施例に係る温泡入浴ブース装置の断面を示す。
【００２０】
温泡入浴ブース装置は業務用または家庭用であり、図１および図９に示すように、使用者Ｍが入る収容空間１０を有する保温性を有するブース１と、ブース１に設けられ収容空間１０に入った使用者Ｍの肩部Ｍ１付近に向けて暖かい温泡を吐出する温泡吐出部３と、ブース１に設けられ暖かい温泡を温泡吐出部３に供給する温泡供給部７とを具備する。
【００２１】
図１に示すように、ブース１は、使用者Ｍが入る収容空間１０をもつ保温性を有するブース本体１１と、ブース本体１１の収容空間１０を開閉する保温性を有する回動式の開閉扉１２とを有する。ブース本体１１は、使用者Ｍの腰部を収容空間１０内で着座させる着座部１３および脚載せ部１４をもつ設置部１５と、設置部１５の後部から上向きに立起する立起部１６とをもつ。着座部１３は、使用者Ｍの腰部が載せられる着座面１７と、使用者Ｍの脚の下腿が対面する立面１８とを有する。着座面１７は後方（矢印Ｒ方向）に向かうにつれて下降するように傾斜しており、使用者Ｍの腰部の着座を安定させている。このように着座面１７が傾斜していると、使用者Ｍの着座性を高め得るものの、水や泡が着座面１７に溜まりやすくなるため、着座面１７の中央域には、流水用の流下通路１９が形成されている。流下通路１９は、前方（矢印Ｆ方向）に向かうにつれて下降傾斜するように形成され、流下性が確保されている。着座部１３の立面１８は上方（矢印Ｕ方向）に向かうにつれて、前方（矢印Ｆ方向）つまり開閉扉１２に近づくように傾斜している。脚載せ部１４は、後述する排水部９０に向けて流下させ得るように傾斜した傾斜面２０と、使用者Ｍの脚で踏まれる滑り止め処理された脚踏み面２１とを有する。
【００２２】
取っ手１２ｃの操作により開閉扉１２が開放されると、着座面１７、立面１８、脚載せ部１４、脚踏み面２１が開放され、収容空間１０の全体が開放されるため、使用者Ｍは収容空間１０に容易に進入でき、着座部１３に容易に着座することができる。
【００２３】
収容空間１０は、使用者の身体を収容できるように、ブース本体１１の前面１１ｆよりも後方（矢印Ｒ方向）に向けて凹状に窪んでいる。このように収容空間１０は凹状に窪んでいるため、収容空間１０に対するブース本体１１の包囲性が向上しており、温泡の放熱を抑制するのに有利となり、温泡の温度を維持するのに有利となる。ブース本体１１の収容空間１０は、着座部１３に着座した使用者Ｍの背中に対面する背中対面部２４と、背中対面部２４の上端から前方に突出すると共に使用者Ｍの頭部Ｍ２の上方に位置する頭部覆い面２５と、着座部１３に着座している使用者Ｍの側面に対面する側面対面部２６と、アームレスト部２７とで区画されている。背中対面部２４は使用者Ｍの背中の後方で背中の全域を覆っている。頭部覆い面２５は、上方（矢印Ｕ方向）に向かいにつれて前方（矢印Ｆ方向）に近づくように上昇傾斜している。これにより収容空間１０内の温泡の温度が高いときであっても、使用者Ｍの頭部Ｍ２付近の熱気を逃がし、熱気が頭部Ｍ２付近に過剰に溜まることを抑制できる。図１および図９に示すように、ブース本体１１の高さは、着座部１３に着座している使用者Ｍの頭部Ｍ２よりも高い高さ位置に設定されている。なお、ブース１の材料は断熱性が高い材料（たとえば樹脂、繊維強化樹脂等）とされており、温泡の放熱が抑えられ、温泡の温度を維持するようにされている。
【００２４】
図１および図９に示すように、温泡吐出部３は、着座部１３に着座している使用者Ｍの肩部Ｍ１付近よりも上方に位置するように、ブース本体１１の背中対面部２４の上部に配置されている、図２に示すように、温泡吐出部３は、着座部１３に着座している使用者Ｍの右肩の上方から右肩付近に温泡を供給する第１温泡吐出部３ａと、着座部１３に着座している使用者Ｍの左肩の上方から左肩付近に温泡を供給する第２温泡吐出部３ｂとで形成されている。温泡吐出部３（３ａ，３ｂ）は、肩付近を目標として温泡を吹き出す泡吹出口３０と、泡吹出口３０から吹き出された温泡を下向きに流すように案内する案内カバー３１とを有する。従って、温泡吐出部３は、ブース１のうち使用者Ｍに対面する壁面（背中対面部２４）に沿って温泡が流下するように、温泡を吐出する。この場合、ブース１のうち使用者Ｍに対面する壁面（背中対面部２４）を暖かい温泡の流下で暖めることができるため、温泡入浴の開始時に、使用者Ｍの背中が背中対面部２４に触れたとしても、使用者Ｍが冷たさを感じることを抑えることができ、入浴効果を更に高めるのに有利となる。
【００２５】
図２に示すように、霧状のミストシャワーを噴出する泡除去用のミストシャワー噴出部４がブース本体１１に複数個分散させて設けられている。ミストシャワー噴出部４は、ブース本体１１のうち収容空間１０の側面対面部２６に設けられた第１ミストシャワー噴出部４ａと、ブース本体１１のうち着座部１３の立面１８に設けられた第２ミストシャワー噴出部４ｂとで形成されている。霧状のミストシャワーは泡を除去するのに有利である。このようにミストシャワー噴出部４が複数個設けられているため、使用者Ｍに付着したり収容空間１０に残留した多量の温泡を除去するのに有利である。
【００２６】
図２に示すように、液状の温水シャワーまたは冷水シャワーを噴出させる水シャワー部として機能するハンドシャワー部５がブース本体１１に設けられている。ハンドシャワー部５は使用者Ｍの手で操作できるものであり、可撓性をもつフレキシブルホース５ａと、フレキシブルホース５ａの先端に設けられたシャワー具５ｂとで形成されている。図２に示すように、ミストシャワー噴出部４（４ａ，４ｂ）のミストの温度を調整する第１温度調節部６１と、ハンドシャワー部５のシャワーの水温を調整する第２温度調節部６２とが、ブース本体１１において着座中の使用者Ｍの手が届く領域（使用者Ｍの頭部Ｍ２の横方付近）に設けられている。第１温度調節部６１及び第２温度調節部６２は、温水と冷水との流量割合を変えることによりシャワーの温度を調整する。泡生成用の操作盤２８がブース本体１１において使用者Ｍの頭部Ｍ２付近に装備されている。泡生成用の操作盤２８はリモコン式とされているが、これに限定されるものではない。ブース本体１１の上部には音楽発生要素としてのスピーカ２９が設けられている。このため温泡入浴中に音楽を聞くことができ、快適性を高めることができる。
【００２７】
温泡供給部７はブース１のうち着座部１３の内部の機械室１３ｗに隠蔽状態に設けられており、暖かい温泡を温泡吐出部３に供給するものである。温泡供給部７は、温泡生成器７０と、温泡生成器７０に圧縮気体としての圧縮空気を供給することにより泡を生成する気体供給源として機能するコンプレッサ７１とを有する。重量を有する温泡供給部７がブース１のうち着座部１３の内部に設けられているため、ブース１の姿勢の安定性を高めることができる。なお、ブース１にはメンテナンス扉１ｘが設けられている。メンテナンス扉１ｘを開放すれば、機械室１３ｗ内の温泡供給部７に泡剤を補給できる。
【００２８】
図１および図９に示すように、収容空間１０を開閉させる開閉扉１２の下端部１２ｄは、ブース１の設置部１５の先端１５ａに位置している。開閉扉１２の上端部１２ｕは、着座部１３に着座している使用者Ｍの首付近まで円弧状に延設されている。このためブース１の収容空間１０に温泡が収容されたとき、温泡は着座中の使用者Ｍの脚、胴の回りを包囲するものの、頭部Ｍ２までは基本的には到達しない。このため使用者Ｍの身体を入浴させつつも、使用者Ｍの頭部Ｍ２の加熱は抑制されている。
【００２９】
開閉扉１２は、使用者Ｍが入る収容空間１０の容積を小さくする容積狭小化構造を有している。すなわち、図１および図９に示すように、開閉扉１２はこれの下端部１２ｄから上端部１２ｕに向かうにつれて、収容空間１０内の着座部１３に着座する使用者Ｍ、背中対面部２４に近づくよう曲成されている。このように開閉扉１２が収容空間１０の容積を小さくする容積狭小化構造を有するため、温泡の使用量を抑制しつつも、収容空間１０に供給される温泡の放熱を少なくでき、入浴効果を高めるのに有利となる。開閉扉１２は透明または半透明の透過部１２ｍを有する。この場合、泡質等の泡の性状、泡の残留状況を外部から視認することができる利点が得られる。但し、透過部１２ｍは設けられていなくても良い。
【００３０】
図５に示すように配管系８はブース本体１１に埋設されている。このため配管系８の全部または多くは視認されず、外観意匠性を高めることができる。配管系８は、図略の給湯器で生成された温水が上向きに供給される主温水配管８０と、温水用の逆流防止部（例えばバキュームプレーカ）８１と、主温水配管８０の温水を第２温度調節部６２に供給する第１温水配管８２と、主温水配管８０の温水を第１温度調節部６１に供給する第２温水配管８３と、温泡生成器７０に温水を供給する第３温水配管８４と、水道管から冷水が供給される主冷水配管８５と、冷水用の逆流防止部（例えばバキュームプレーカ）８６と、主冷水配管８５の冷水を第２温度調節部６２に供給する第１冷水配管８７と、主冷水配管８５の冷水を第１温度調節部６１に供給する第２冷水配管８８と、逆流防止部８１、８６につながる排水用のドレン管８９と、ドレン管８９につながる排水部９０とを有する。排水部９０はブース１の裏面１ｒに開口している。第１温度調節部６１及び第２温度調節部６２は温水と冷水との混合比率を調整して温度調整するものである。
【００３１】
図６は配管系８のブロック図を示す。図６に示すように、温水および冷水の双方が第２温度調節部６２を介してハンドシャワー部５に供給される。また温水および冷水の双方が第１温度調節部６１を介してミストシャワー噴出部４に供給される。温泡生成器７０には温水のみが供給され、冷水は供給されないようになっている。温泡生成器７０に圧縮空気を供給するためにコンプレッサ７１と温泡生成器７０とをつなぐ気体供給管７０ｍに芳香剤（アロマ）を供給する第１芳香剤供給部９１が設けられている。温泡生成器７０に芳香剤（アロマ）を供給する第２芳香剤供給部９２が設けられている。このため快適な温泡入浴に一層貢献することができる。
【００３２】
図７は温泡供給部７の温泡生成器７０を模式的に示す。図７に示すように、温泡生成器７０は、洗剤および温水を含む洗剤溶液７０ａを貯留すると共に仕切部材７０ｂで仕切られた複数の貯留室７０ｃをもつ容器７０ｄと、容器７０ｄの貯留室７０ｃの底部付近に配置された複数の噴出口７０ｆを有するノズル７０ｋをもつ気体供給管７０ｍとを備えている。気体供給管７０ｍはコンプレッサ７１につながる。コンプレッサ７１が駆動すると、圧縮気体としての圧縮空気が気体供給管７０ｍに供給され、ノズル７０ｋの噴出口７０ｆから噴出する（バブリング）。これにより温泡が容器７０ｄ内で生成される。複数の噴出口７０ｆの口径はそれぞれ同径とされているため、生成される泡のサイズを均一化させるのに有利である。また気体供給管７０ｍは水平方向に沿って配置されているため、パブリング時に洗剤溶液７０ａが乱流化することが抑制され、均一な温泡を生成させるのに有利となる。
【００３３】
さて温泡入浴ブース装置の使用の際には、開閉扉１２を開放させて使用者Ｍがブース１の収容空間１０に入る。使用者Ｍはブース１の収容空間１０内で着座部１３に着座する。開閉扉１２を閉鎖した状態で、暖かい温泡を温泡吐出部３から収容空間１０に向けて吐出させ、収容空間１０のほとんどの容積を温泡で満たす。従って使用者Ｍの頭部Ｍ２以外の身体は温泡で包囲される。温泡の温度は温泡入浴に適する温度にでき、泡質、使用者Ｍ、季節等によっても多少相違するものの、一般的には３５〜５５℃程度とすることができるが、これに限定されるものではない。
【００３４】
入浴では、着座部１３に着座する使用者Ｍの肩部Ｍ１付近を暖めることが加温効果、入浴効果を高めるのに有効である。この点、ブース１の収容空間１０内で着座中の使用者Ｍの肩部Ｍ１付近に向けて、温泡吐出部３は暖かい温泡を使用者Ｍの肩部Ｍ１の上方から肩部Ｍ１付近に向けて吐出するため、温泡入浴の際に使用者Ｍの肩部Ｍ１付近を効果的に暖めることができ、使用者Ｍのリラックス効果、入浴効果を高めることができる。すなわち、ブース１の収容空間１０内の使用者Ｍの肩部Ｍ１付近に向けて、温泡吐出部３は暖かい温泡を吐出するため、使用者Ｍは加温性を効果的に感じることができる。また肩こり等の回復にも有利である。更に、使用者Ｍの肩部Ｍ１付近に吐出された暖かい温泡は、着座部１３に着座する使用者Ｍの肩部Ｍ１付近から身体の表面（背中、胸、腕、脚等の表面）に沿って流下するため、使用者Ｍの身体の全体を効果的に暖めることができる。これにより使用者のリラックス効果、温泡入浴効果を高めることができる。なお温泡入浴の際には、図１および図９に示すように開閉扉１２を閉鎖させたとしても、開閉扉１２の上端部１２ｕよりも使用者Ｍの頭部Ｍ２は露出して開放されているため、閉塞感もなく快適である。
【００３５】
寒い時期等では、入浴中といえども、使用者Ｍの背中は冷たさを感じることがある。この点本実施例によれば、温泡吐出部３から吐出された温泡は、ブース１のうち着座部１３に着座する使用者Ｍの背中に対面する壁面である背中対面部２４に沿って流下するため、背中対面部２４を効果的に暖めることができ、着座部１３に着座する使用者Ｍの背中が背中対面部２４に触れたとしても、冷たさを感じることを抑えることができ、使用者Ｍのリラックス効果、入浴効果を一層高めることができる。
【００３６】
なお、図１および図９に示すように、背中対面部２４のうちこれの上端と頭部覆い面２５との境界領域（頭部Ｍ２の裏側）は窪み量が大きい凹状面２４ｔとされているため、温泡吐出部３が温泡を肩部Ｍ１付近に向けて吐出したとしても、凹状面２４ｔと頭部Ｍ２との間に隙間を確保でき、頭部Ｍ２の頭髪等が温泡で濡れることを抑えるのに有利である。
【００３７】
なお、図１および図９に示すように、温度調節部６１，６２、操作盤２８は開閉扉１２の上端部１２ｕよりも上方に位置しているため、温度調節部６１，６２、操作盤２８が温泡で埋まることは抑えられるため、温泡入浴時における操作性は確保される。
【００３８】
また、収容空間１０内に着座部１３が設けられているため、入浴中の使用者Ｍは着座部１３に着座しており、使用者Ｍが立っているときに比較して安定している。このように着座中の使用者Ｍは姿勢が安定しており、ブース１の収容空間１０の側面対面部２６には触れにくいため、温泡がブース１の収容空間１０の側面対面部２６に沿って流下しないものの、特に不都合はない。なお、温泡入浴の前に、必要に応じて、制御装置がハンドシャワー部５およびミストシャワー噴出部４の一方または双方を作動させ、ハンドシャワー部５から噴出される暖かい温水シャワー、ミストシャワー噴出部４から噴出される暖かいミストシャワーにより、ブース本体１１、殊に、ブース本体１１のうち使用者Ｍが触れやすい部位を予熱させることも好ましい。これにより快適に温泡入浴するのに一層有利となる。
【００３９】
また温泡入浴の間に、必要に応じて、ハンドシャワー部５から噴出される暖かい温水シャワー、ミストシャワー噴出部４から噴出される暖かいミストシャワーのうちの一方または双方を、使用者Ｍに吹き付けることも好ましい。これにより快適に温泡入浴するのに一層有利となる。
【００４０】
温泡入浴が終了すると、使用者Ｍが収容空間１０内で着座している状態で、ミストシャワー噴出部４から霧状のミストシャワーを噴出させれば、収容空間１０に残留する泡を効果的に除去することができ、使用者Ｍの身体に付着した泡も除去することができる。
【００４１】
ここで、温水入浴後に、使用者Ｍの身体に付着した泡を除去する操作に長時間を要すると、その間に身体の冷えが進行し、冬季等では充分に満足できる温水入浴効果が得られなくなるおそれがある。この点、ミストシャワー噴出部４は霧状のミストシャワーを噴出させるため、使用者Ｍの身体に付着した泡、ブース１の収容空間１０内に残留している泡を短時間のうちに除去するのに有利となる。霧状のミストシャワーは微小粒状の液相と気相とが高頻度で混在しており、泡への微小状の液相の衝突が消泡に効果的であり、更に、霧状のミストシャワーは広面積に飛散しやすいため、多量の泡を除去させやすいためと推察される。
【００４２】
なお、必要に応じてハンドシャワー部５を補助的に用い、ハンドシャワー部５から噴出するシャワー水により泡を除去することにしてもよい。また上記した泡の除去操作は、場合によっては、使用者Ｍが収容空間１０から退出した状態で行ってもよいものである。
【００４３】
図８に示すように、温泡吐出部３Ｗは、着座部１３に着座している使用者Ｍの頭部Ｍ２の横側から右肩に温泡を供給する可撓性をもつ管状の第１温泡吐出部３ｒと、着座部１３に着座している使用者Ｍの頭部Ｍ２の横側から左肩に温泡を供給する可撓性をもつ管状の第２温泡吐出部３ｓとで形成されていても良い。温泡吐出部３Ｗ（３ｒ，３ｓ）は、ブース１のうち着座部１３に着座している使用者Ｍに対面する壁面（背中対面部２４）に沿って温泡が流下するように、温泡を吐出することができる。なお、温泡吐出部３ｒ，３ｓは可撓性を有するため、使用者Ｍの体格に合わせて位置調整でき、温泡を使用者Ｍの肩部に吐出させることができる。
【００４４】
本実施例によれば、図９に示すように、開閉扉１２は、使用者Ｍが入る収容空間１０の容積を小さくする容積狭小化構造を有している。すなわち、図９に示すように、開閉扉１２の内面には、収容空間１０に向けて開閉扉１２の他の部分よりも膨出する膨出部１２ｈ、１２ｋが形成されている。膨出部１２ｈは、収容空間１０の容積を小さくして温泡の使用量を抑制するものである。膨出部１２ｈ、１２ｋは中空室１２ｊを有するため、高い断熱性をもち、収容空間１０の温泡の放熱を少なくでき、入浴効果を高めるのに有利となる。開閉扉１２は、着座部１３に着座する使用者Ｍに近づくように曲成されており、着座部１３に着座する使用者Ｍの間を狭めるように収容空間１０の容積を小さくする膨出部１２ｈ、１２ｋを有する。なお図３，図４では膨出部１２ｈ、１２ｋが省略されている。
【００４５】
（他の例）
上記した実施例では、着座面１７の中央域に溝形状の流水用の流下通路１９が形成されているが、流下通路１９は、使用者の身体の側面側に位置するように着座面１７の幅方向の外縁側に形成されていても良いし、溝に限らず、流水できるようになだらかな傾斜面で形成しても良い。上記した実施例によれば、芳香剤を用いているが、芳香剤を用いない形態でもよい。ハンドシャワー部５およびミストシャワー噴出部４の双方が用いられているが、いずれか一方としてもよい。使用者Ｍはブース１の収容空間１０で着座するが、これに限らず、立ったまま温泡入浴することにしても良い。収容空間１０では複数の使用者Ｍが温泡入浴できる形態としても良い。上記した実施例によれば、温泡吐出部３は、着座部１３に着座している使用者Ｍの右肩に温泡を供給する第１温泡吐出部３ａと、着座部１３に着座している使用者Ｍの左肩に温泡を供給する第２温泡吐出部３ｂとで形成されているが、これに限らず、使用者の肩の上方において右肩と左肩との間にかけて連続的に延設されている方式でも良い。その他、本発明は上記し且つ図面に示した実施例のみに限定されるものではなく、要旨を逸脱しない範囲内で適宜変更して実施できるものである。
【産業上の利用可能性】
【００４６】
本発明者は健康者、身体障害者、高齢者等が温泡入浴する際に利用することができる。
【図面の簡単な説明】
【００４７】
【図１】温泡入浴ブース装置の断面を模式的に示す構成図である。
【図２】開閉扉を省略した状態の入浴ブース装置の正面を模式的に示す構成図である。
【図３】温泡入浴ブース装置を模式的に示す斜視図である。
【図４】開閉扉を外した状態の入浴ブース装置を模式的に示す斜視図である。
【図５】温泡入浴ブース装置の裏面を模式的に示す構成図である。
【図６】配管系のブロック図である。
【図７】温泡供給部７の温泡生成器の断面を模式的に示す断面図である。
【図８】開閉扉を省略した状態の入浴ブース装置の正面を模式的に示す構成図である。
【図９】開閉扉を有する入浴ブース装置の断面を模式的に示す構成図である。
【符号の説明】
【００４８】
図中、１はブース、１０は収容空間、１１はブース本体、１２は開閉扉、１３は着座部、１７は着座面、２４は背中対面部、３は温泡吐出部、４はミストシャワー噴出部、５はハンドシャワー部、７は温泡供給部、７０は温泡生成器、７１はコンプレッサ、８は配管系を示す。
【図１】
0004507675.tif 000002
【図２】
0004507675.tif 000003
【図３】
0004507675.tif 000004
【図４】
0004507675.tif 000005
【図５】
0004507675.tif 000006
【図６】
0004507675.tif 000007
【図７】
0004507675.tif 000008
【図８】
0004507675.tif 000009
【図９】
0004507675.tif 000010